(57)【要約】      （修正有）【課題】視覚と臭覚で物品の様態が認識できるヘッドフォン型匂い発生器を提供する。【解決手段】ヘッドフォンのスピーカーに、片方はカプセル収納筒６に匂いを封じ込めたカプセル集合体と、各々のカプセルから匂いの放出を制御する圧電弁と、匂い放出針を固定した圧電弁固定板を内部に密着固定し、匂い送出管５が外部に固定されている。反対側のファンと基板収納筒２には送風用のファンと電子回路基板を収納し、ＵＳＢプラグを装着したワイヤーが引き出されている。複数の細いワイヤーと薄い金属の自由に曲がる板バネを内蔵するヘッド当て１の両端には、ファンと基板収納筒２及びカプセル収納筒６が固定されている。パソコンから提供されるデータを内蔵の電子回路で処理し、カプセル集合体とカプセルを選択して圧電弁とファンを駆動し、外気をファンでヘッド当て１の内部を通り、匂い放出管５からカプセル収納筒６の内部で発生させた匂いとともに外に放出する。【選択図】図１
2014117598.tif 000002
【特許請求の範囲】
【請求項１】
ヘッドフォンのスピーカーの位置に、片方はカプセル収納筒に匂いを封じ込めたカプセル集合体と、各々のカプセルから匂いの放出を制御する圧電弁と匂い放出針を固定した圧電弁固定板を内部に密着固定し、パイプ状の匂い送出管が外部に固定されていて、反対側のファンと基板収納筒には固定された送風用のファンと電子回路基板を収納し、端にＵＳＢプラグを装着したワイヤーが外に引き出されて、内部が空洞で複数の細いワイヤーと、薄い金属の自由に曲がる板バネを内蔵するヘッド当ての両端に、前記ファンと基板収納筒及びカプセル収納筒が固定されていることを特徴とするヘッドフォン型匂い発生器。
【請求項２】
前記カプセル集合体は複数のカプセルが一体成型されていて、各々のカプセルの内部には円柱に成型された匂い布が１個ずつ収められていて、匂い放出針に当てる面には圧電弁固定板の突起挿入穴に入る突起が一箇所出ていて、カプセル集合体の種類別に異なる位置に成型して該カプセル集合体を識別し、カプセル集合体の装着を感知するスイッチを圧電弁固定板に配設していることを特徴とする請求項１に記載のヘッドフォン型匂い発生器。
【請求項３】
前記圧電弁の外形の一部を圧電弁固定板に固定して圧電弁パッキングに密着させ、電圧を印加した時の歪みで圧電弁パッキングとの間にできるギャップから匂いを放出することを特徴とする請求項１または請求項２に記載のヘッドフォン型匂い発生器。
【請求項４】
パソコンのソフトウェアをリンクさせたディスプレイ上の画像をマウスでクリックすると、カプセル集合体の識別とカプセル選択データがＵＳＢ経由で匂い発生器に送られて、視覚と臭覚で物品の様態が認識できることを特徴とする請求項１から請求項３のいずれかに記載のヘッドフォン型匂い発生器。
【発明の詳細な説明】
【技術分野】
【０００１】本発明はパソコンのディスプレイ画像の物品が発している匂いをＵＳＢ経由で予め匂いを封じ込めたカプセルから放出させるヘッドフォン型匂い発生器に関する。
【背景技術】
【０００２】匂い発生器または送出装置としては、多種類の匂い発生器を記憶装置またはタイマー等で制御して匂いの発生と消去を行う（例えば特許文献１参照）、携帯型電子装置に収められる匂い送出装置で、鼻の近くに匂い発生源を置いて空気の流れに乗せて匂いを感ずる（例えば特許文献２参照）、複数の匂い発生器の匂いを加算または減算して擬似的に匂いを発生させる（例えば特許文献３参照）、作業者が危険な場所に立ち入るのを防止する為に、音声と共に匂いを発生させる（例えば特許文献４参照）装置等が提案されている。
【先行技術文献】
【特許文献】
【０００３】
【特許文献１】特開公  平  ５−３３３９０６
【特許文献２】特開公２００６−５０４４４５
【特許文献３】特開公２００３−２７５２８９
【特許文献４】特開公２０００−  ４０１９１
【発明の概要】
【発明が解決しようとする課題】
【０００４】前記で提案されている匂い発生器または送出装置では、香水や室内芳香剤を発生させて消臭または心の安らぎを目的にする匂い発生器（特許文献１、特許文献２、特許文献３）や、危険を注意喚起する為に音声で聴覚と匂いを発生さて臭覚に訴えるものであり（特許文献４）、パソコンの画像の物品が発している匂いが感じられるような機器や装置ではなかった。
【課題を解決するための手段】
【０００５】このような課題を解決するために本発明に係わるヘッドフォン型匂い発生器は、ヘッドフォンのスピーカーの位置に、片方はカプセル収納筒に匂いを封じ込めたカプセル集合体と、各々のカプセルから匂いの放出を制御する圧電弁と匂い放出針を固定した圧電弁固定板を内部に密着固定し、パイプ状の匂い送出管が外部に固定されている。反対側のファンと基板収納筒には固定された送風用のファンと電子回路基板を収納して、端にＵＳＢプラグを装着したワイヤーが外に引き出されている。内部を空洞にして複数のワイヤーと薄い金属の自由に曲がる板バネを内蔵するヘッド当ての両端には、前記ファンと基板収納筒及びカプセル収納筒が固定されている。【０００６】パソコンから提供されるデータはカプセル集合体とカプセルの選択データで、圧電弁の駆動とカプセルからの匂い放出時間とファンの動作は、ファンと基板収納筒に内蔵する電子回路で制御される。また電子回路とファンを駆動する電源はパソコンから供給されている。
【発明の効果】
【０００７】本発明によればパソコンのソフトウェアに、ヘッドフォン型匂い発生器を動作させるソフトウェアを追加することで、視覚と臭覚で物品の様態が認識できるヘッドフォン型匂い発生器を提供することが出来る。
【図面の簡単な説明】
【０００８】
【図１】本発明の実施の形態のヘッドフォン型匂い発生器の外観図である。
【図２】同ファンと基板収納筒の内部拡大外観図である。
【図３】同カプセル収納筒の内部拡大外観図である。
【図４】同図１ＡーＡ’の拡大断面図である。
【図５】同圧電弁固定板の匂い放出針側の拡大外観図である。
【図６】同圧電弁固定板の圧電弁側の拡大外観図である。
【図７】同匂い放出針の拡大外観図である。
【図８】同圧電弁の拡大外観図である。
【図９】同カプセルの拡大断面図である。
【図１０】同匂い布の拡大外観図である。
【図１１】同電子回路ブロック図である。
【発明を実施するための形態】
【０００９】以下図面に基づき本発明の実施の形態について説明する。
音響用ヘッドフォンのスピーカーの位置に配置したカプセル収納筒６には、内部にプラスチックで一体成型されたカプセル集合体２２と、匂いの放出を制御する複数の圧電弁５１とカプセルに突き刺す複数の匂い放出針４１をそれぞれ表裏に固定した圧電弁固定板２１が密着固定されていて、カプセル収納筒６と圧電弁固定板２１の間の空気を外に放出する匂い放出管５が固定されている。内側には柔らかい材質の耳当て４が固定されている。
【００１０】前記カプセル集合体２２は複数のカプセルが一体成型されていて、各々のカプセルの内部には円柱に成型された匂い布６０が１個ずつ収められている。該匂い布６０は吸湿性の高い材料で匂いの素材が液体の物品はそのまま吸収させ、液体以外の素材は先に水分を吸湿させた後に匂いを吸着させる。カプセル集合体２２は種類別に複数用意（例えば料理のレシピ、飲料水、環境）されている。匂い放出針４１に当てる面には圧電弁固定板２１の突起挿入穴４２に入る突起（図示せず）が一箇所出ていて、カプセル集合体２２の種類別に異なる位置に成型されてカプセル集合体２２を識別する。
【００１１】カプセル集合体２２をカプセル収納筒６に差し込むと、注射針のように中が空洞の匂い放出針４１がカプセルの表面を突き破ってカプセルの中に先端が挿入される。
匂い放出針４１の周りには弾力性のあるカプセルパッキング４０が固定されていて、反対側の圧電弁５１の周りにも弾力性のある圧電弁パッキング５０が固定されているのでカプセルの中の匂いは封じ込められている。
【００１２】反対側のスピーカーの位置に配置したファンと基板収納筒２の内部には、圧電弁５１の駆動とカプセル集合体２２の識別とファン１１を制御する電子回路基板１２が固定されていて、該電子回路基板１２にファン１１が固定されている。先端にＵＳＢプラグ３を装着したワイヤーが電子回路基板１２に接続されて外に引き出されている。内側には柔らかい材質の耳当て４が固定されている。
【００１３】頭部に掛けるヘッド当て１の内部は空洞で自由に曲げられる薄い金属の板バネ３１と、電子回路基板１２とスイッチ端子５３と圧電弁５１及びファン１１を接続する細いワイヤー３０が収納されている。外側は柔らかい塩化ビニールで覆われていて両端にはカプセル収納筒６とファンと基板収納筒２が固定されている。
【００１４】次に作用について説明する。
パソコン（図示せず）のディスプレイ（図示せず）に例えば料理のレシピと写真の画像が出ていて、ソフトウェアをリンクさせた該画像をマウスでクリックすると、料理の匂いを閉じ込めたカプセル集合体２２の識別とカプセル選択データが、ＵＳＢ経由でヘッドフォン型匂い発生器（図１）に送られて視覚と臭覚で物品の様態が認識できる。該データはヘッドフォン型匂い発生器の仕様と予め整合をとっておく。
【００１５】電子回路基板１２に搭載されているＩＣＵ１は、パソコン（図示せず）から送られるカプセル集合体２２の識別とカプセル選択のデータを処理して、ファン１１の回転速度制御とカプセル集合体２２の感知と識別をした後に、選択されたカプセルの圧電弁５１を駆動する次段のＩＣＵ２にデータを送る。該データはカプセルの匂いを長時間保持するために間欠動作させるデータになっている。またカプセル集合体２２が未装着或いはパソコンのデータと一致しない時は、ＩＣＵ２にデータを送らないようになっていてファン１１も回転しない。
【００１６】カプセル集合体２２の装着を感知及び識別するスイッチ（Ｓ）は未装着の時は全て閉じていて、装着されると突起（図示せず）が圧電弁固定板２１の突起挿入穴４２に入りスイッチ端子５３の一端を押し上げて開放する。スイッチ（Ｓ）の共通端子は電子回路のマイナスに接続されていて、閉じている端子はＩＣＵ１にＬｏｗのデータを、開放される端子はＨｉｇｈのデータとして認識される。全ての端子がＬｏｗデータの時に未装着と判定される。
【００１７】圧電弁５１は圧電スピーカーと同じ構造で外形の一部を圧電弁固定板２１に固定されていて圧電弁パッキング５０に密着している。電圧を印加した時の歪みで圧電弁パッキング５０との間にできるギャップから匂いを放出する。匂いを止めるにはパソコンの画像を閉じるか画像を再クリックする。
【００１８】ファン１１で外気を内部が空洞のヘッド当て１の内部を通り、圧電弁固定板２１とカプセル収納筒６の間を通って匂い送出管５から匂いとともに外に放出される。該ファン１１の回転は低速で騒音を低減し、空気の流れも緩く他人には匂いが届きにくく部屋に匂いが充満することもない。
【符号の説明】
【００１９】    １  ヘッド当て
２  ファンと基板収納筒
３  ＵＳＢプラグ
４  耳当て
５  匂い放出管
６  カプセル収納筒
１０  ワイヤー引き出し口
１１  ファン
１２  電子回路基板
２０  ワイヤー引き入れ口
２１  圧電弁固定板
２２  カプセル集合体
３０  ワイヤー
３１  板バネ
４０  カプセルパッキング
４１  匂い放出針
４２  突起挿入穴
５０  圧電弁パッキング
５１  圧電弁
５２  支柱
５３  スイッチ端子
６０  匂い布
【図１】
2014117598.tif 000003
【図２】
2014117598.tif 000004
【図３】
2014117598.tif 000005
【図４】
2014117598.tif 000006
【図５】
2014117598.tif 000007
【図６】
2014117598.tif 000008
【図７】
2014117598.tif 000009
【図８】
2014117598.tif 000010
【図９】
2014117598.tif 000011
【図１０】
2014117598.tif 000012
【図１１】
2014117598.tif 000013
【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
ヘッドフォンのスピーカーの位置に、片方はカプセル収納筒に匂いを封じ込めたカプセル集合体と、各々のカプセルから匂いの放出を制御する圧電弁と匂い放出針を固定した圧電弁固定板を内部に密着固定し、パイプ状の匂い送出管が外部に固定されていて、反対側には固定された送風用のファンと電子回路基板を内蔵したファンと基板収納筒と、端にＵＳＢプラグを装着したワイヤーが該ファンと基板収納筒から外に引き出されて、複数の細いワイヤーと、薄い金属の自由に曲がる板バネを内蔵し、送風用のファンにより空気が緩やかに流れる内部が空洞のヘッド当ての両端に、前記ファンと基板収納筒及びカプセル収納筒が固定されていることを特徴とするヘッドフォン型匂い発生器。
【請求項２】
前記カプセル集合体は複数のカプセルが一体成型されていて、各々のカプセルの内部には円柱に成型された匂い布が１個ずつ収められていて、該カプセル集合体の匂い放出針に当てる面には圧電弁固定板の突起挿入穴に入る突起が一箇所出ていて、該突起はカプセル集合体の種類別に異なる位置に成型して該カプセル集合体を識別可能とし、カプセル集合体の装着を感知するスイッチを圧電弁固定板に配設していることを特徴とする請求項１に記載のヘッドフォン型匂い発生器。
【請求項３】
前記圧電弁の外形の一部を圧電弁固定板に固定して圧電弁パッキングに密着させ、電圧を印加した時の歪みで圧電弁パッキングとの間にできるギャップから匂いを放出し、該匂いをファンで送られる外気とともに匂い送出管から外に放出することを特徴とする請求項１または請求項２に記載のヘッドフォン型匂い発生器。
【請求項４】
パソコンのソフトウェアをリンクさせたディスプレイ上の画像をマウスでクリックすると、カプセル集合体の識別とカプセル選択データがＵＳＢ経由で匂い発生器に送られて、視覚と臭覚で物品の様態が認識できることを特徴とする請求項１から請求項３のいずれかに記載のヘッドフォン型匂い発生器。